【事件の表示】
　特願２００６−３５３１９７「撮像装置、画像検索方法、およびプログラム」拒絶査定不服審判事件〔平成２０年　７月１７日出願公開、特開２００８−１６５４２４〕について、次のとおり審決する。
【結　論】
　本件審判の請求は、成り立たない。
【理　由】
第１　手続の経緯 
　
　本願は、平成１８年１２月２７日の出願であって、平成２０年１１月２６日付けで拒絶理由通知がなされ、平成２１年１月２３日付けで手続補正（以下、「第１補正」と呼ぶ。）がなされ、同年４月３０日付けで拒絶査定がなされ、これに対して同年８月７日に拒絶査定不服審判の請求がなされるとともに手続補正（以下、「第２補正」と呼ぶ。）がなされたものである。　　
　
第２　第２補正（平成２１年８月７日付けの手続補正）についての補正却下の決定
　
［補正却下の決定の結論］ 
　
　第２補正（平成２１年８月７日付けの手続補正）を却下する。 
　
［理由］
　
１．補正内容
　
　第２補正は、第２補正前の特許請求の範囲の請求項１を、第２補正後の特許請求の範囲の請求項１のとおりに補正する補正事項を含むものである。
　
＜第２補正前の特許請求の範囲の請求項１＞
　
「【請求項１】
　被写体を撮像する撮像装置において、
　前記被写体を撮像する撮像手段と、
　撮像された前記被写体の画像を記録する記録手段と、
　前記画像を表示する表示手段と、
　記録された前記画像に関係するメタデータであって、複数のカテゴリのいずれかに属している前記メタデータを、前記画像の検索条件として各カテゴリごとに選択させるためのメタデータ選択画面を前記表示手段に表示させる表示制御手段と、
　ユーザの操作に応じて、前記メタデータ選択画面に表示された前記メタデータのなかから検索条件となる前記メタデータを前記各カテゴリごとに順次選択するメタデータ選択手段と、
　前記複数のカテゴリをまたいで選択された前記メタデータを検索条件にして、前記画像を検索する画像検索手段と
　を備え、
　前記表示制御手段は、検索された前記画像の一覧である画像一覧画面を前記表示手段に表示させる
　撮像装置。」
　
＜第２補正後の特許請求の範囲の請求項１＞
　
「【請求項１】
　被写体を撮像する撮像装置において、
　前記被写体を撮像する撮像手段と、
　撮像された前記被写体の画像を記録する記録手段と、
　前記画像を表示する表示手段と、
　記録された前記画像に関係するメタデータであって、複数のカテゴリのいずれかに属している前記メタデータを、前記画像の検索条件として各カテゴリごとに選択させるためのメタデータ一覧と、前記メタデータ一覧から選択された前記メタデータを表示するための検索条件一覧とからなるメタデータ選択画面を前記表示手段に表示させる表示制御手段と、
　ユーザの操作に応じて、前記メタデータ一覧に表示された前記メタデータのなかから検索条件となる前記メタデータを前記各カテゴリごとに順次選択して、選択した前記メタデータを前記検索条件一覧に表示させるメタデータ選択手段と、
　前記各カテゴリごとの前記メタデータ一覧により前記複数のカテゴリをまたいで選択され、前記検索条件一覧に表示された前記メタデータを検索条件にして、前記画像を検索する画像検索手段と
　を備え、
　前記表示制御手段は、検索された前記画像の一覧である画像一覧画面を前記表示手段に表示させる
　撮像装置。」
　
　
２．第２補正に対する判断 
　
　　第２補正の上記補正事項は、補正前の請求項１に記載した発明を特定するために必要な事項である「記録された前記画像に関係するメタデータであって、複数のカテゴリのいずれかに属している前記メタデータを、前記画像の検索条件として各カテゴリごとに選択させるためのメタデータ選択画面を前記表示手段に表示させる表示制御手段」、「ユーザの操作に応じて、前記メタデータ選択画面に表示された前記メタデータのなかから検索条件となる前記メタデータを前記各カテゴリごとに順次選択するメタデータ選択手段」、「前記複数のカテゴリをまたいで選択された前記メタデータを検索条件にして、前記画像を検索する画像検索手段」を、それぞれ、「記録された前記画像に関係するメタデータであって、複数のカテゴリのいずれかに属している前記メタデータを、前記画像の検索条件として各カテゴリごとに選択させるためのメタデータ一覧と、前記メタデータ一覧から選択された前記メタデータを表示するための検索条件一覧とからなるメタデータ選択画面を前記表示手段に表示させる表示制御手段」、「ユーザの操作に応じて、前記メタデータ一覧に表示された前記メタデータのなかから検索条件となる前記メタデータを前記各カテゴリごとに順次選択して、選択した前記メタデータを前記検索条件一覧に表示させるメタデータ選択手段」、「前記各カテゴリごとの前記メタデータ一覧により前記複数のカテゴリをまたいで選択され、前記検索条件一覧に表示された前記メタデータを検索条件にして、前記画像を検索する画像検索手段」に限定するものであって、平成１８年法律第５５号改正附則第３条第１項によりなお従前の例によるとされる同法による改正前の特許法第１７条の２第４項第２号の特許請求の範囲の減縮を目的とするものに該当する。
　
　そこで、第２補正後の上記請求項１に記載された発明（以下、「本願補正発明」と呼ぶ。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下検討する。
　
２−１．引用例
　
　原査定の拒絶の理由に引用された国際公開２００６／０８８２４０号（以下、「引用例」と呼ぶ。）には、以下の事項が記載されている。
　
　なお、各記載事項の下に示す＜邦訳＞は、引用例に対応した公表特許公報である特表２００８−５３０６２９号公報における邦訳であり、（段落【】）内の数字は、当該公表特許公報における段落番号である。
　
あ．「The image using system 10 according to the present embodiment includes an image recording apparatus 20, a recording medium 30, and an image retrieving apparatus 40. The image recording apparatus 20 records a plurality of original images, for example, taken by a digital camera, on the recording medium 30. Here, the original image may be a still picture or a moving picture. Further, the image recording apparatus 20 may be an image taking apparatus such as a digital camera or an information processing apparatus such as a personal computer. The image retrieving apparatus 40 retrieves the plurality of original images taken from the recording medium 30 on which the plurality of original images are '  recorded. Then, the image retrieving apparatus 40 provides a user with the retrieved original images by displaying or printing them. The image retrieving apparatus 40 maybe a video reproducing apparatus such as a DVD-Video player, an information processing apparatus such as a personal computer, or a kiosk terminal provided in a DPE service shop.
　According to the present figure, the image recording apparatus 20 and the image retrieving apparatus 40 may be provided separately from each other or one of them may have the function and configuration of the other. Further, each of the image recording apparatus 20 and the image retrieving apparatus 40 may include a plurality of apparatus different from each other and the plurality of apparatus may perform a function of the recording apparatus 20 or the image retrieving apparatus 40 by communicating with each other.」
（第７ページ第６〜２６行）
　
＜邦訳＞
　
「本実施形態に係る画像利用システム１０は、画像記録装置２０、記録媒体３０、及び画像読み取り装置４０を備える。画像記録装置２０は、例えばデジタルカメラ等によって撮像された複数の原画像を、記録媒体３０に記録する。ここで、原画像とは、静止画像であってよく、これに代えて、動画像であってもよい。また、画像記録装置２０は、例えば、デジタルカメラ等の撮像装置であってよく、これに代えて、パーソナルコンピュータ等の情報処理装置であってもよい。画像読み取り装置４０は、撮像された複数の原画像が記録されている記録媒体３０から、当該複数の原画像を読み取る。そして、画像読み取り装置４０は、読み取った原画像を、表示または印刷することにより、利用者に提供する。なお、画像読み取り装置４０は、例えば、ＤＶＤ−Ｖｉｄｅｏプレイヤー等の映像再生装置であってよく、これに代えて、パーソナルコンピュータ等の情報処理装置、又はＤＰＥサービス店舗に設置されたキオスク端末等であってもよい。
  また、本図において、画像記録装置２０及び画像読み取り装置４０は、それぞれ独立したものであってよく、これに代えて、一方が他方の機能及び構成を有していてもよい。」（段落【００２０】〜段落【００２１】）
　
い．「
　Fig. 4 is a block diagram showing an example of a function configuration of the image retrieving apparatus 40 according to the present embodiment. The image retrieving apparatus 40 of the present embodiment includes an index retrieving unit 400, an album manifest retrieving unit 410, an asset manifest retrieving unit 420, an image retrieving unit 430, and an image display unit 440. The image retrieving apparatus 40 of the present example displays a siideshow based on the plurality of original images 312 recorded on the recording medium 30 according to the album manifest file 332 recorded on the recording medium 30.
」（第１６ページ第２１−３１行）
　
＜邦訳＞
　
「図４は、本実施形態に係る画像読み取り装置４０の機能構成の一例を示すブロック図である。本実施形態に係る画像読み取り装置４０は、インデックス読み取り部４００、アルバムマニフェスト読み取り部４１０、アセットマニフェスト読み取り部４２０、画像読み取り部４３０、及び画像表示部４４０を有する。本例における画像読み取り装置４０は、記録媒体３０に記録されているアルバムマニフェストファイル３３２に従って、記録媒体３０に記録されている複数の原画像３１２に基づくスライドショーを表示する。」（段落【００４７】）
　
う．「Appendix A-I, A-2 and A-3 give another example of the present embodiment.」
（第３１ページ第１行）
　
＜邦訳＞
　
「付属書Ａ‐１、Ａ‐２、およびＡ‐３において、本実施形態の別の例を提示する。」
（段落【００８８】）
　
え．「
3 PASS Originating/Authoring System Overview
　
Originating/ Authoring Systems represent the application systems that create DigiAlbums. They can take on many forms such as Mini-lab systems, Kiosks, or PC applications with reader hardwares for reading image data, etc., and with writer hardware capable of writing DigiAlbums as defined by the PASS Logical Disk Specification (LDS).
　
Originating/ Authoring Systems responsible for handling the following functions:
・Collecting, reading and temporally storing image files, movie files or music files as assets. There are many different types of input, such as flash memory cards from digital still camera (DSC), scanner input from traditional films or prints, optical disk and so on.
」（第１１０ページ第２〜１０行）
　
＜邦訳＞
　
「
３  ＰＡＳＳオリジネイティング／オーサリング・システム概要
　
オリジネイティング／オーサリング・システムは、デジアルバムを作成するアプリケーション・システムである。このシステムは、画像等を読み出す読み出しハードウェア及びＰＡＳＳディスクの論理的な仕様（ＬＤＳ）において定義される通りにデジアルバムを書くことのできる書き込みハードウェアを備えた、ミニラボシステム、キオスク、ＰＣアプリケーション等の様々な形態を取ることができる。
オリジネイティング／オーサリング・システムの役割は、以下の機能の取り扱いである。
　・画像ファイル、ムービーファイル、または音楽ファイルをアセットとして収集、読み出し、一時保存を行う。デジタルスチールカメラ（ＤＳＣ）のフラッシュメモリカード、従来のフィルム又はプリントのスキャナによる入力、光ディスク等、多くの異なる型の入力がある。
」（付属書Ａ−２　ピクチャー・アーカイブ・アンド・シェアリング・システム　３　ＰＡＳＳオリジネイティング／オーサリングシステム概要）
　
お．「
2) Receiving system
 Receiving system has the following functions mainly;
 a) Check ASSET format
 b) Read and interpret PASS MANIFEST files
 Receiving system shall include Playback component or Printing component.
3) Playback component
  Playback component in Receiving system has the following functions mainly;
 a) Display ASSETs according to PASS MANIFEST.
 b) Select album from multiple PASS PLAYLIST MANIFEST
 c) Display ASSETs retrieved by date and keywords as optional functions
4) Printing component
 Printing component in Receiving component has the following functions mainly;
 a) Select ASSETs for print
 b) Print selected ASSETs
」（第１２９ページ第１〜１４行）
　
＜邦訳＞
　
「
（２）レシービング・システム
　レシービング・システムは主に以下の機能を備える。
　（ａ）アセット（ＡＳＳＥＴ）のフォーマットを確認する。
　（ｂ）ＰＡＳＳマニフェスト（ＭＡＮＩＦＥＳＴ）ファイルを読み、解釈する。
　レシービング・システムは、再生コンポーネント又は印刷コンポーネントを含む。
（３）再生コンポーネント
　レシービング・システムにおける再生コンポーネントは、主に以下の機能を備える。
　（ａ）ＰＡＳＳマニフェストに従って、アセットを表示する。
　（ｂ）多数のＰＡＳＳ再生リストマニフェスト（ＰＬＡＹＬＩＳＴ  ＭＡＮＩＦＥＳＴ）からアルバムを選択する。
　（ｃ）オプション機能として、日付及びキーワードにより読み出したアセットを表示する。
（４）印刷コンポーネント
　レシービング・システムにける印刷コンポーネントは、主に以下の機能を備える。
　（ａ）印刷用にアセットを選択する。
　（ｂ）選択したアセットを印刷する。
」（付属書Ａ−３　ピクチャ・アーカイブ・アンド・シェアリング・システム　２．システムの概要　２．２　システムの概要　（２）レシ−ビングシステム〜（４）プリントコンポーネント）
　
か．「
3 PASS Receiving /Playback /Printing system overview
 
3.1 Receiving system
　Receiving system is a system that need to read DigiAlbums. It can take on many forms such as: Kiosks, PCs, DVD Players, etc. The primary task of a Receiving system is to read PASS INDEX MANIFEST to determine how the media was written and then to be able to access to PASS PLAYLIST MANIFEST and PASS ASSET MANIFEST where information for assets and presentation are stored on the media. This information will then be used by playback component, print component, or interface with a content storage. The Receiving System will be responsible for the following functions:
　1) Check ASSET files to input on the media
　2) Check and interpret PASS INDEX MANIFEST
　3) Check and interpret PASS PLAYLIST MANIFEST
　4) Check and interpret PASS ASSET MANIFEST
　
3.2 Playback Component
　The Playback Component addresses the needs of system that are designed to play the presentation experience on the media. This would include DVD Players or Software DVD players on a PC. The responsibilities of the playback component include:
　1) Check priority to play whether PASS PLAYLIST MANIFEST or video segment
　2) Read and Play presentation layer of DigiAlbum (Ex. DVD-Video, Video-CD ...)
　3) Display albums
　4) Select album
　5) Display images from each album as index
　6) Display images from each album as slide show
　7) Display images as one by one
　8) Play BGM during slide show playing
　9) Display metadata for each ASSET
　10) Retrieve and display images by date as an optional function
　11) Retrieve and display images by keywords as an optional function
 
3.3 Print Component
　The Print Component is intended to handle the selection and printing of assets and optionally meta-data. The responsibilities of the Print Component are:
　1) Select still ASSETs for printing either via the media playback experience or via a display method of the playback component.
　2) Associate a high resolution asset with the selection method
　3) Print selected still ASSETs
」（第１３１ページ第２行〜第１３２ページ１１行）
　
＜邦訳＞
　
「
３．  ＰＡＳＳレシービング／再生／プリントシステムの概要
 
３．１  レシービングシステム
  レシービングシステムはデジアルバムを読み込む必要があり、様々な形態で実現することができる。例えば、ショップ、パソコン、ＤＶＤプレーヤー等が挙げられる。レシービングシステムの主要な役割は、メディアの書き込みがどのように行われたのか判断し、当該メディア上のアセットおよび表示に関する情報が保存されたＰＡＳＳプレイリストマニフェストおよびＰＡＳＳアセットマニフェストにアクセスできるように、ＰＡＳＳインデックス・マニフェストを読み込むことにある。この情報は、再生コンポーネント、プリントコンポーネントまたはコンテンツストレージに対するインターフェースによって利用される。レシービングシステムは以下の機能を担当する：
　（１）  メディア上の入力すべきアセットファイルを確認
　（２）  ＰＡＳＳインデックスマニフェストを確認して解釈
　（３）  ＰＡＳＳプレイリストマニフェストを確認して解釈
　（４）  ＰＡＳＳアセットマニフェストを確認して解釈
３．２  再生コンポーネント
  再生コンポーネントは、システムが必要とする、メディアで表示を行うための機能に応じて設けられる。ＤＶＤプレーヤーまたはＰＣ上のソフトウェアＤＶＤプレーヤーが含まれる。再生コンポーネントは以下の機能を担当する：
　（１）  ＰＡＳＳプレイリストマニフェストまたはビデオセグメントのどちらを再生するのか優先順位を確認
　（２）  デジアルバムの表示層（例えば、ＤＶＤ−ビデオ、ビデオ−ＣＤ等）を読み込んで再生
　（３）  複数のアルバムを表示
　（４）  １つのアルバムを選択
　（５）  インデックスとして各アルバムの画像を表示
　（６）  スライドショーとして各アルバムの画像を表示
　（７）  画像を１枚ずつ表示
　（８）  スライドショーを再生している間はＢＧＭを再生
　（９）  各アセットのメタデータを表示
　（１０）  オプション機能として、日付に基づいて画像を検索して表示
　（１１）  オプション機能として、キーワードに基づいて画像を検索して表示
３．３  プリントコンポーネント
  プリントコンポーネントは、アセットおよびオプションでメタデータの選択及びプリントを行う。プリントコンポーネントは以下の機能を担当する：
　（１）  メディアでの再生または再生コンポーネントの表示方法を通じて、プリントする静止アセットを選択
　（２）  高解像度アセットと選択方法を対応付ける
　（３）  選択された静止アセットをプリント
」（付属書Ａ−３　ピクチャ・アーカイブ・アンド・シェアリング・システム　３．ＰＡＳＳレシービング／再生／プリントシステムの概要　３．１　レシービングシステム〜　３．３　プリントコンポーネント）
　
き．「
5.5.2 Retrieve and display images by keywords
　Playback component can recognize some metadata for keywords to retrieve ASSET from PASS ASSET MANIFEST.
　How to retrieve ASSET by keywords
　The following metadata can be used as keywords to retrieve ASSET in PASS ASSET MANIFEST ;
＜表＞ 
　Playback component can have a function to input some of the above-mentioned keywords or a function to select some of the above-mentioned keywords among such keywords dictionary.
　Playback component can have a function to recognize keywords and display ASSET whose metadata of such keyword from PASS ASSET MANIFEST is same.
　Playback component can recognize the path for each image files for display from PASS ASSET MANIFEST which is related to input metadata to retrieve as keyword and try to display them.
＜中略＞Items to display on index display screen when retrieving images by kevwords
＜表＞
＜表＞Functions on index display screen when retrieving images by keywords
＜表＞
＜表＞ An example of displaying retrieved ASSET by keywords on index display screen
＜表＞
」
（第１５１ページ〜第１５４ページ）
　
＜邦訳＞
　
「
５．５．２  キーワードに基づいて画像を検索して表示
    再生コンポーネントは、ＰＡＳＳアセットマニフェストに基づきアセットを検索するためのキーワード用のメタデータを認識することができる。
    ＜キーワードに基づいてアセットを検索する方法＞
    ＰＡＳＳアセットマニフェストのアセットを検索するためのキーワードとして利用することができるメタデータを以下に示す：
【表６４】
    再生コンポーネントは、上述したキーワードの一部を入力する機能、またはキーワード辞書から上述したキーワードの一部を選択する機能を有することができる。
    再生コンポーネントは、キーワードを認識して、ＰＡＳＳアセット・マニフェストから取得したそのキーワードに対応するメタデータが同一であるアセットを表示する機能を有することができる。
    再生コンポーネントは、検索のためのキーワードとして入力されたメタデータに関連するＰＡＳＳアセットマニフェストに基づき表示すべき各画像ファイルのパスを認識し、当該画像ファイルの表示を試みることができる。
＜中略＞
＜キーワードに基づいて画像を検索する場合にインデックス表示画面に表示される項目＞
【表６５ａ】
【表６５ｂ】
＜キーワードに基づいて画像を検索する場合のインデックス表示画面の機能＞
【表６６ａ】
【表６６ｂ】
＜キーワードに基づいて検索したアセットをインデックス表示画面に表示する一例＞
【表６７】
」（付属書Ａ−３　ピクチャ・アーカイブ・アンド・シェアリング・システム　５．　ＰＡＳＳ再生コンポーネントの機能に関する必要仕様　５．５　画像を検索して表示（オプション機能）　５．５．２　キーワードに基づいて画像を検索して表示）
　
　また、上記記載事項を関連する表及び図面と技術常識に照らせば以下のことがいえる。
　
ア．引用例の上記「あ．」の欄に摘記した記載箇所（邦訳の段落【００２０】−【００２１】）に「一方が他方の機能を有していてもよい」とあるように、引用例の「画像記録装置」は、引用例でいう「画像読み取り装置」の機能を有していてもよいものである。そして、そこで想定される「画像読み取り装置の機能を有する画像記録装置」は、同記載箇所の記載や技術常識からみて、「被写体を撮像する撮像手段と、撮像された前記被写体の画像を記録する記録手段と、前記画像を表示する表示手段を有する撮像装置」と言い得るものである。
イ．引用例の付属書Ａ−２に記載されている「アセット」は、上記「え．」の欄に摘記した記載から明らかなように、「画像ファイル、ムービーファイル」等の「撮像された被写体の画像」のデータを含むものである。
ウ．引用例の付属書Ａ−３に記載されている「レシービングシステム」は、上記「お．」〜「き．」の欄に摘記した記載から把握される機能からみて、引用例の上記「画像読み取り装置」の一例である。
エ．引用例の付属書Ａ−３に記載されている「レシービングシステム」が有する「再生コンポーネント」は、上記「き．」の欄に摘記した記載と、引用例の第１５４ページ（対応公表特許公報の【表６７】）に示される＜キーワードに基づいて検索したアセットをインデックス表示画面に表示する一例＞の欄に示される例から明らかなように、検索条件の選択手段として、Ｙｅａｒ、Ｍｏｎｔｈ、Ｐｅｒｓｏｎ、Ｐｌａｃｅ（Ｌｏｃａｔｉｏｎ）、Ｅｖｅｎｔの各カテゴリからカテゴリ毎にプルダウンメニューを表示し選択可能な手段、プルダウンメニューを用いてカテゴリ毎にキーワード一覧を表示し、キーワード一覧から検索に用いたいキーワードをそれぞれ選択することにより、検索条件となった各カテゴリ毎のキーワードからなる検索条件一覧を画面左側に表示する手段、検索条件となった各カテゴリ毎のキーワードからなる検索条件を用いて検索を行い、画面中央から右側にかけて検索条件と一致した検索結果の一覧である画像一覧を表示する手段、をそれぞれ有している。
オ．上記「エ．」でいう「キーワード」は、画像を検索するために用いられるデータであるから、画像に関係する一種のメタデータとも言い得るものである。
カ．上記「エ．」、「オ．」で示した事項は、引用例の上記「再生コンポーネント」が、「記録された前記画像に関係するメタデータであって、複数のカテゴリのいずれかに属している前記メタデータを、前記画像の検索条件として各カテゴリごとに選択させるためのメタデータ一覧と、前記メタデータ一覧から選択された前記メタデータを表示するための検索条件一覧とを前記表示手段に表示させる表示制御手段」と、「ユーザの操作に応じて、前記メタデータ一覧に表示された前記メタデータのなかから検索条件となる前記メタデータを前記各カテゴリごとに順次選択して、選択した前記メタデータを前記検索条件一覧に表示させるメタデータ選択手段」と、「前記各カテゴリーごとの前記メタデータ一覧により前記複数のカテゴリをまたいで選択され、前記検索条件一覧に表示された前記メタデータを検索条件にして、前記画像を検索する画像検索手段」と、を備えていること、及び、そこでいう「表示制御手段」は、「検索された前記画像の一覧である画像一覧画面を前記表示手段に表示させる」機能をも有していること、を意味している。
　
　したがって、引用例には実質的に次の発明（以下、「引用発明」という。）が記載されているといえる。
　
「被写体を撮像する撮像装置において、
　前記被写体を撮像する撮像手段と、
　撮像された前記被写体の画像を記録する記録手段と、
　前記画像を表示する表示手段と、
  記録された前記画像に関係するメタデータであって、複数のカテゴリのいずれかに属している前記メタデータを、前記画像の検索条件として各カテゴリごとに選択させるためのメタデータ一覧と、前記メタデータ一覧から選択された前記メタデータを表示するための検索条件一覧とを前記表示手段に表示させる表示制御手段と、
　ユーザの操作に応じて、前記メタデータ一覧に表示された前記メタデータのなかから検索条件となる前記メタデータを前記各カテゴリごとに順次選択して、選択した前記メタデータを前記検索条件一覧に表示させるメタデータ選択手段と、
　前記各カテゴリーごとの前記メタデータ一覧により前記複数のカテゴリをまたいで選択され、前記検索条件一覧に表示された前記メタデータを検索条件にして、前記画像を検索する画像検索手段と
　を備え、
　前記表示制御手段は、検索された前記画像の一覧である画像一覧画面を前記表示手段に表示させる
　撮像装置。」
　
２−２．本願補正発明と引用発明との対比
　
　本願補正発明と引用発明とを対比すると、両者の間には、以下の一致点、相違点があるといえる。
　
（一致点）
　
「被写体を撮像する撮像装置において、
　前記被写体を撮像する撮像手段と、
　撮像された前記被写体の画像を記録する記録手段と、
　前記画像を表示する表示手段と、
  記録された前記画像に関係するメタデータであって、複数のカテゴリのいずれかに属している前記メタデータを、前記画像の検索条件として各カテゴリごとに選択させるためのメタデータ一覧と、前記メタデータ一覧から選択された前記メタデータを表示するための検索条件一覧とを前記表示手段に表示させる表示制御手段と、
　ユーザの操作に応じて、前記メタデータ一覧に表示された前記メタデータのなかから検索条件となる前記メタデータを前記各カテゴリごとに順次選択して、選択した前記メタデータを前記検索条件一覧に表示させるメタデータ選択手段と、
　前記各カテゴリーごとの前記メタデータ一覧により前記複数のカテゴリをまたいで選択され、前記検索条件一覧に表示された前記メタデータを検索条件にして、前記画像を検索する画像検索手段と
　を備え、
　前記表示制御手段は、検索された前記画像の一覧である画像一覧画面を前記表示手段に表示させる
　撮像装置。」である点。
　
（相違点）
　
　本願補正発明の「表示制御手段」は、「メタデータ一覧と検索条件一覧とからなるメタデータ選択画面」を表示手段に表示させるものであるのに対し、引用発明の「表示制御手段」は、「メタデータ一覧と検索条件一覧とからなるメタデータ選択画面」を表示手段に表示させるものではない点。
　
２−３．判断
　
２−３−１．（相違点）について　
　
　以下の事情を勘案すると、引用発明の「表示制御手段」を、「メタデータ一覧と検索条件一覧とからなるメタデータ選択画面」を表示手段に表示させるものとすることは、当業者が容易に推考し得たことというべきである。
　
（１）検索条件を設定する際、検索条件として利用できるものの一覧と、該一覧から選択された検索条件となるものの一覧とを同時に表示すること、換言すれば、「メタデータ一覧」と呼び得る部分と「検索条件一覧」と呼び得る部分とからなる「メタデータ選択画面」と呼び得る画面を表示することは、例えば、特開２０００−６７０７５号公報（特に、図１２参照）や「松本　真治他３名、『Ｉｎｔｅｌｌｉｇｅｎｔ　ＷｅｂＨｏｕｓｅ』をフレームワークとしたオラクルのＤＷＨ＆ＢＩツール戦略、ＤＢ　Ｍａｇａｇｉｎｅ　第１０巻　第５号、株式会社翔泳社、２０００年８月１日、第１０巻　第５号、ｐ．２４８〜ｐ．２６１」（特に、ｐ．２５６画面８参照）にも示されるように周知である。
（２）上記周知の「メタデータ一覧と呼び得る部分と検索条件一覧と呼び得る部分とからなるメタデータ選択画面と呼び得る画面を表示する」といった表示の態様が、引用発明の「メタデータ一覧」と「検索条件一覧」の表示の態様としても有用な場合があり、そこに採用可能であることは、当業者に自明である。
（３）以上のことは、引用発明の「表示制御手段」を、「メタデータ一覧と検索条件一覧とからなるメタデータ選択画面」を表示手段に表示させるものとすることが、当業者にとって容易であったことを意味している。
　
２−３−２．本願補正発明の効果について 
　
　本願補正発明の構成によってもたらされる効果は、引用発明及び周知技術から当業者ならば容易に予測することができる程度のものであって、格別のものとはいえない。　
　
２−３−３．まとめ 
　
　以上によれば、本願補正発明は、引用発明及び周知技術に基づいて当業者が容易に発明をすることができたものであり、特許法第２９条第２項の規定により、特許出願の際独立して特許を受けることができないものである。
　
３．むすび
　
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について 
　
１．本願発明
　
　本件補正は上記のとおり却下されたので、本願の請求項１に係る発明（以下、「本願発明」と呼ぶ。）は、平成２１年１月２３日付けの手続補正書の請求項１に記載されたとおりのものであり、上記「第２」の「１．」の＜第２補正前の特許請求の範囲の請求項１＞に転記したとおりのものである。
　
２．引用例 
　
　原査定の拒絶の理由に引用された引用例、及びその記載事項は、上記「第２」の「２．」の「２−１．」の項に記載したとおりである。
　
３．対比・判断 
　
　本願発明は、上記「第２」で検討した本願補正発明から、限定事項を省いたものである。
　
　そうすると、本願発明の構成要件をすべて含み、さらに特定の限定を施したものに相当する本願補正発明が、上記「第２」の「２−３．」の項に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　 
４．むすび 
　
　以上のとおり、本願発明は、引用発明及び周知技術に基づいて、当業者が容易に発明をすることができたものであるから、特許法第２９条第２項の規定により特許を受けることができない。 
　
　したがって、本願は、他の請求項について検討するまでもなく、拒絶されるべきものである。 
　
　よって、結論のとおり審決する。